(57)【要約】【課題】  マガジン本体内に収容された釘の連結が切れてしまったときでも、釘同士が重なり合わないようにすると共にマガジンカバーを閉じた状態でも収容されている釘の残量及び長さを容易に視認できるようにする。【解決手段】  透明のプラスチック製の第２マガジンカバー２３ａにガイドバー３０が貫通するためのスリット状の溝３２を設け、ガイドバー３０の釘３の側面を抑える面とは逆側の面３０ａが、第２マガジンカバーのスリット状の溝３２を貫通して寸法精度の良い軽金属製の第１マガジンカバー２３ｂに突き当たるように構成する。また、第１マガジンカバー２３ｂに釘残量を視認できるようにするための大形の覗き窓３６を設け、覗き窓３６及び透明の第２マガジンカバー２３ａを介して視認できるようにした。【選択図】  図３
2006000986.tif 000002
【特許請求の範囲】
【請求項１】
釘打機本体に供給される多本数の連結釘を収容し、収容した連結釘の先頭釘をブレードガイドの打込み通路に送るようにブレードガイドに連結されたマガジン本体と、マガジン本体に開閉可能に設けられた軽金属製の第１マガジンカバーと、第１マガジンカバーの内側に設けられたプラスチック製の第２マガジンカバーと、第２マガジンカバーの内側に設けられ、マガジン本体に収容された釘の釘頭または釘軸部の側面を押えるように付勢されたガイドバーとを備えた釘打機のマガジンであって、
前記連結釘が収容されて第１マガジンカバーが閉じ位置にあるとき、ガイドバーは釘を押える面とは逆側の面が、第２マガジンカバーに設けられたスリット状の溝を貫通し、第１マガジンカバーに突き当たり、マガジン本体及びガイドバーの間で形成される連結釘を収容する空間に釘が２本重ならない高さの空間を形成することを特徴とした釘打機のマガジン。
【請求項２】
釘打機本体に供給される多本数の連結釘を収容し、収容した連結釘の先頭釘をブレードガイドの打込み通路に送るようにブレードガイドに連結されたマガジン本体と、マガジン本体に開閉可能に設けられた軽金属製の第１マガジンカバーと、第１マガジンカバーの内側に設けられたプラスチック製の第２マガジンカバーと、第２マガジンカバーの内側に設けられ、マガジン本体に収容された釘の釘頭または釘軸部の側面を押えるように付勢されたガイドバーとを備えた釘打機のマガジンであって、
前記第１マガジンカバーに大形の覗き窓部又は開口部を設け、マガジン本体内に収容された多本数の釘を外部から第２マガジンカバーの透明なプラスチックを介して視認可能としたことを特徴とする釘打機のマガジン。
【請求項３】
前記請求項１又は請求項２記載のマガジンを備えたことを特徴とする釘打機。
【発明の詳細な説明】
【技術分野】
【０００１】
本発明は、多本数の釘が並列に板状に連結された連結釘を打込む釘打機及びそのマガジンに関するものである。
【背景技術】
【０００２】
頭の無い釘又は頭が小さい釘を使用する仕上げ釘打機やピン釘打機と呼ばれる釘打機においては、透明のプラスチック製のマガジンを使用することが多く、例えば特許文献1等により提案されている。これらマガジンにおいては収容された釘をマガジン本体に押し付けるためのガイドバーが複数設けられている。
【０００３】
またアルミニウム等の軽金属製のマガジンが使用されることもあり、その際釘残量を容易に視認できるようにするため、マガジン側面に長穴状の覗き窓を設けたマガジンを特許文献２により提案した。
【０００４】
【特許文献１】特許３２３１９３６号公報
【０００５】
【特許文献２】登録実用新案２５７６５５５号公報
【発明の開示】
【発明が解決しようとする課題】
【０００６】
上記した前者のプラスチック製のマガジンにあっては、寸法精度が良くないため、マガジン本体及びカイドバーの間に形成される空間のばらつきが大きく、連結釘の連結が切れてしまったり、マガジン内に残った数本の釘に新しい連結釘を足したりした時、図６のように連結の切れ目で釘同士がずれて重なってしまい、その結果釘が正常に送れなくなる恐れがあった。特にピン釘打機のような非常に薄い釘を使用する釘打機のマガジンにおいては頻繁に起こる現象であった。
【０００７】
一方、後者のマガジンにあっては、覗き窓が剥き出しの孔形状であるため、外部からのゴミの侵入の心配や、その内部構造上の理由から覗き窓を大きく構成することができないうえ、覗き窓を経て釘が見えるか否かによって釘の残量をある程度推察する事はできるものの、覗き範囲が小さいため一見して残量がわずかであるか十分であるかを判断することができず、従って十分にその機能をはたすものとは言えなかった。
【０００８】
本発明の目的は、上記従来の欠点を解消し、マガジン内での釘送りの不具合の無い釘打機のマガジンを提供することである。
また、耐久性等に問題を生ずることなく、収容した釘残量を外部から一見して視認でき、かつ、覗き窓からのゴミ等の侵入を防止することができるようにすることが他の目的である。更にこれら特徴を有するマガジンを備えた釘打機を提供することが他の目的である。
【課題を解決するための手段】
【０００９】
上記目的は、
請求項１においては、プラスチック製の第２マガジンカバーにガイドバーが貫通するスリット状の溝部を設け、ガイドバーの釘側面を押える面とは逆の面が、第２マガジンカバーのスリット状の溝を貫通し、寸法精度の良い軽金属製の第１マガジンカバーに突き当たるように構成することで達成される。
請求項２においては、第１マガジンカバーに釘残量を確認するための大形の覗き窓を設け、更に第１マガジンカバーの内側に設けた第２マガジンカバーを透明のプラスチックで成形することで達成される。
【発明の効果】
【００１０】
本発明によれば、マガジン本体内に収容した連結釘が途中で切れたり、マガジン本体内に残った数本の釘に新しい釘を足した場合でも、連結釘同士が重なり合わないので、釘送り等の不具合を防止することができる。
また、収容した釘を外部から透かして見ることができるので一目でその残量を確認でき、使い勝手の良いマガジンとすることができる。
また、収容された釘と第１マガジンカバーの間に、透明の第２マガジンカバーを配しているため、覗き窓から直接ゴミ等が侵入することが無く、ゴミ等の侵入による不具合を防止できる。
【発明を実施するための最良の形態】
【００１１】
以下実施形態を示す図面を参照して本発明を説明する。図1は本発明釘打機を示す断面側面図である。
図示しない圧縮機からの圧縮空気は、図示しないエアホースを介して釘打機本体１内の蓄圧室２に蓄積される。釘打機本体１内には円筒状のシリンダ７が設けられ、シリンダ７内には上下摺動可能にピストン４が設けられ、ピストン４にはドライバブレード８が一体に形成され、先端部８ａによって釘３を打ち込む。
【００１２】
トリガバルブ１２は、トリガ１３の引き操作とプッシュレバー１６の木材１７への押し当て動作の協働により、アームプレート１４を介して作動する。
トリガバルブ１２とメインバルブ１５は連動し、トリガバルブ１２がＯＮになると、メインバルブ１５が上昇し、メインバルブ１５がヘッドカバー１８に接触して、蓄圧室２と空気通路１９間を閉じると共に蓄圧室２とシリンダ７内のピストン４の上側が連通する。
メインバルブ１５の下降により、シリンダ７上端が閉じると共にメインバルブ１５がヘッドカバー１８から離れ、空気通路１９が開く。空気通路１９は釘打機本体１の蓄圧室２内に設けた排気通路２０を経て大気と連通している。
また、シリンダ７下端には釘３打ち込み後のドライバブレード８の余剰エネルギーを吸収するためのピストンバンパ９が設けられている。
【００１３】
したがって、周知のごとく、トリガ１３の引き操作と、プッシュレバー１６の木材１７への押し当て操作の両方が行われたときにアームプレート１４とトリガ１３のリンク機構によって、トリガバルブ１２がＯＮになるようになっている。
【００１４】
上記構成の釘打機１による打込み動作を説明する。
釘打機１本体に図示しないエアホースをつないで圧縮空気を貯留した状態を図１に示す。圧縮空気は、蓄圧室２に貯留されている。
トリガ１３の引き操作及びプッシュレバー１６の木材１７への押し当て操作の両方を行い、トリガバルブ１２をＯＮにすると、メインバルブ１５が上死点側に移動し、蓄圧室２とシリンダ７内のピストン４上側が連通する。また、蓄圧室２と空気通路１９間が遮断される。蓄圧室２からシリンダ７内のピストン４上側に流入した圧縮空気によってピストン４は急激に下死点側に移動しながら釘３を木材１７に打ち込む。シリンダ７内のピストン４下側の空気は、空気通路１０を介して戻り室５に流入し、ピストン４が空気通路１１を通過すると、ピストン４上側の圧縮空気の一部が空気通路１１を介して戻り室５に流入する。
【００１５】
トリガ１３を戻し、トリガバルブ１２をＯＦＦにすると、メインバルブ１５が下死点側に移動する。
メインバルブ１５が閉じ、蓄圧室２とシリンダ７内のピストン４上側が遮断され、シリンダ７内のピストン４上側と大気が連通する。戻り室５に蓄積された圧縮空気によってピストン４下側が押圧され、ピストン４は急激に上死点側に移動する。ピストン４上側の圧縮空気は、空気通路１９を介して排気通路２０から大気に放出され初期状態に戻る。
この行程を繰り返すことによりマガジン本体２１内の釘３が順次木材１７に打ち込まれて行く。
【００１６】
図１において、釘打機１に用いられる釘は多本数の釘が並列の板状に連結された連結釘３である。一般的には仕上釘と呼ばれる多本数の細い釘が接着剤等によって並列の板状に連結された連結釘が代表的なものである。連結釘３は、ハンドル６とほぼ平行にブレードガイド２２に固着された、本発明に係るマガジン本体２５に収容されて、マガジン本体２５からブレードガイド２２の打込通路２４に先頭釘が入るように送られる。
【００１７】
マガジン本体２５には、連結釘３が収容され、収容された連結釘３の先頭釘がブレードガイド２２の打込通路２４に送られる。マガジン２１は、連結釘３を収容してその連結釘３の先頭釘をブレードガイド２２の打込通路２４に送るようにブレードガイド２２に連結されたマガジン本体２５と、連結釘３を収容保持する閉じ位置と連結釘３を装填できる開放位置との間でマガジン本体２５に長手方向（図１の矢印２９の方向）にスライド可能に取り付けられたアルミニウム等の軽金属製の第１マガジンカバー２３ｂと、第１マガジンカバー２３ｂの内側に設けられた透明のプラスチック製の第２マガジンカバー２３ａと、第２マガジンカバー２３ａの内側に設けられ、マガジン本体２５に収容された連結釘３の釘頭または釘軸部の側面を押えるように付勢されたガイドバー３０等から構成される。
【００１８】
図１において、第１マガジンカバー２３ａ及び第２マガジンカバー２３ｂは、理解の容易のため、マガジンカバー２３の大部分が破断されて後端部分のみが残った状態で示されている。図２の第２マガジンカバー２３ａと第１マガジンカバー２３ｂは閉じ位置にあり、マガジン本体２５との間に連結釘を収容する細長い空間を形成している。マガジン本体２５には、図示のように、軸部が第１長さ（例えば４５ｍｍ）の釘の連結釘３を収容できる。便宜上、第１長さの連結釘３は、後尾側のみしか図示していないが、先頭釘がブレードガイド２２の打込通路２４に入るまで長く延びている。また、マガジン本体２５には、数種類の長さの連結釘を収容する事ができる。図１において、連結釘３とブレードガイド２２の打込通路２４の中間に、第１長さの連結釘３より短い、軸部が第２長さ（例えば３５ｍｍ）の釘の連結釘３ａが示されている。第１長さの連結釘３と第２長さの連結釘３ａ、その他数種類の長さの連結釘は選択的に用いられ、いずれかがマガジン本体２５に装填される。従って、第１長さの長い連結釘３も第２長さの短い連結釘３ａも、同じように、後尾側からブレードガイド２２の打込通路２４まで収容される。マガジン本体２５には連結釘３（または連結釘３ａ及びその他数種類の長さの連結釘）の打込側の先端を収容して案内するガイド溝２６が形成されて、連結釘の収容空間の一部を形成している。
【００１９】
図２において、第１マガジンカバー２３ｂは、アルミニウム等の軽金属を押出し又は引抜き成形により高精度に成形されたもので、マガジン本体２５上を連結釘３（または連結釘３ａ及びその他数種類の長さの連結釘）を収容保持する閉じ位置と連結釘を装填できる開放位置との間でマガジン本体２５に長手方向（図１の矢印２９の方向）にスライド可能に取り付けられている。また、第１マガジンカバー２３ｂの側面には、マガジン本体２５に収容した連結釘３（または連結釘３ａ及びその他数種類の長さの連結釘）の有無を確認するための大形の覗き窓３６が形成されている。図３において、第１マガジンカバー２３ｂの内側には、透明なプラスチックで成形された第２マガジンカバー２３ａが設けられ、複数本のガイドバー３０がマガジン本体２５の高さ方向に沿ってほぼ等間隔に配置され、更に第２マガジンカバー２３ａの外面側まで貫通しているスリット状の溝３２が設けられている。
【００２０】
第２マガジンカバー２３ａには、マガジン本体２５に対向する面すなわち裏面にガイドバー３０が設けられている。図３に図示のように、ガイドバー３０は第２マガジンカバー２３ａの長手方向に延びている。ガイドバー３０は対向するマガジン本体２５に向けて接近したり離れたりできるように、第２マガジンカバー２３ａの細長いスリット状の溝３２の中に保持されている。上述のように、マガジン本体２５及び第１マガジンカバー２３ａで形成する連結釘を収容する空間は、長い（第１長さの）連結釘３を収容できる幅を有する。その幅方向におけるガイドバー３０の位置は、短い（第２長さとその他数種類の長さの）連結釘３ａの釘頭を押える位置に設けられる。すなわち長い連結釘３はマガジン本体２５の上面で押えられるのでガイドバー３０で押える必要はない。また、ガイドバー３０と第２マガジンカバー２３ａの間には、板ばね３１がガイドバー３０をマガジン本体２５側に付勢するように配置され、ガイドバー３０がマガジン本体２５に収容された連結釘の釘頭又は釘軸部の側面を押えるようにばね付勢されている。マガジン本体２５に連結釘３を収容し、第２マガジンカバー２３ａ、第１マガジンカバー２３ｂを閉じ位置にした時、ガイドバー３０は連結釘３の軸部を押え、マガジン本体２５から遠ざかる方向に後退し、連結釘３の軸部を押える面とは逆の面３０ａが、第２マガジンカバー２３ａのスリット状の溝３２を貫通し、第１マガジンカバー２３ｂに突き当たる。その時、ガイドバー３０は、マガジン本体２５との間に、連結釘３が重ならない寸法の空間ｓを形成する。
【００２１】
第１マガジンカバー２３ａの後尾側には、ガイドバー３０が第２マガジンカバー２３ａから外れないように、図３に示す保持部３３が形成されている。
図示のように、第２マガジンカバー２３ａにはマガジン本体２５に対向する面すなわち裏面に、連結釘３の後尾の釘を押圧して連結釘３の先頭釘をブレードガイド２２の打込通路２４に付勢するフィーダ２７が設けられ、フィーダ２７は、連結釘３を後尾から押圧して先頭釘をブレードガイド２２の打込通路２４に付勢するように、第２マガジンカバー２３ａの後尾から延びるコイルばね２８によってばね付勢されている。フィーダ２７はフィーダガイド３５に沿って第２マガジンカバー２３ａの長手方向にスライド可能に設けられており、コイルばね２８によって、最前方位置に至るように付勢されている。図１にはフィーダ２７が連結釘３を押圧している様子を示した。
【図面の簡単な説明】
【００２２】
【図１】釘打機の一例を示す断面側面図。
【図２】本発明マガジンの一実施形態を示す側面図。
【図３】図１のＡ−Ａ線断面図。
【図４】図３の円Ｂ部の拡大図。
【図５】従来のマガジンの一例を示す断面図。
【図６】図５の円Ｃ部の拡大図。
【符号の説明】
【００２３】
１は釘打機本体、３は連結釘（第１長さ）、３ａは連結釘（第２長さ）、２１はマガジン、２３はマガジンカバー、２３ａは第２マガジンカバー、２３ｂは第１マガジンカバー、２５はマガジン本体。
【図１】
2006000986.tif 000003
【図２】
2006000986.tif 000004
【図３】
2006000986.tif 000005
【図４】
2006000986.tif 000006
【図５】
2006000986.tif 000007
【図６】
2006000986.tif 000008